(57)【要約】本発明は、コンピュータ技術に、具体的には、コンピュータデータベースにアクセスする為のパスワードの入力方法とその装置に関する。本発明の目的は、他人による利用者のパスワードの効率的な保護を提供し、パスワードの組み合わせ数の増加させ、利用者のパスワードの覚えやすさを提供することである。本発明の一つ目の実施形態によれば、コンピュータにパスワード入力に使用する動的画像のパラメータを入力し、利用者によって決定されたパラメータによる動的画像を利用者にディスプレイにて表示し、少なくても一つのあらかじめ決められた動的画像のオブジェクトが利用者によってあらかじめ決められた空間に対する位置および／または状態になった時を指示する。もう一つ目の実施形態によれば、あらかじめ決められたアクセスコードをリズムによって与え、前記リズムを利用者の入力装置によってコンピュータに保存する為と次回パスワード入力の際に使用する為にあらかじめ入力し、パスワードの入力の際には、利用者の接触装置の組み合わせを使用しリズムを入力する。【特許請求の範囲】
【請求項１】
パスワードの入力に使用する動的画像のパラメータを決め、前記パラメータを利用者の入力装置によってコンピュータに入力し、またそれらを保存し、利用者によって決定された前記パラメータによる前記動的画像を利用者にディスプレイにて表示し、少なくても一つのあらかじめ決められた動的画像のオブジェクトが利用者によってあらかじめ決められた空間に対する位置および／または状態になった時を指示する機構によって指示し、パスワードの入力に使用する動的画像の保存されたパラメータと前記指示された動的画像のオブジェクトのパラメータを比較し、前述のパラメータが一致することによりパスワードの認証を行うことを特徴とするコンピュータデータベースにアクセスする為のパスワード入力方法。
【請求項２】
動的画像は複数のスクリーンからの組み合わせから成り、これらの状態は時間によって変化し、あらかじめ決められた前記オブジェクトが少なくても一つのあらかじめ決められたスクリーンに現れる時を利用者の装置によって指示すること特徴とする請求項１に記載の方法。
【請求項３】
スクリーンの変化は周期的であることを特徴とする請求項２に記載の方法。
【請求項４】
動的画像のパラメータは、スクリーンの数、各スクリーンに表示するオブジェクトの数、各スクリーンの状態の変化方式、各スクリーンの状態変化の速度、動的画像のオブジェクトを選択したスクリーンとその順序、パスワード入力にとって意味のあるスクリーン、前記パラメータの組み合わせ、からなるグループから選択されることを特徴とする請求項２に記載の方法。
【請求項５】
動的画像は、アニメーションをする物体を含む、アニメーションをする画像の事で、時間によって自らの空間に対する位置および／または状態を変化させ、この時、決められたオブジェクトが少なくても一つの位置および／または状態になった時を利用者の装置によって指示することを特徴とする請求項１に記載の方法。
【請求項６】
動的画像のパラメータは、アニメーションをするオブジェクトの数、オブジェクトのアニメーションの速さ、アニメーションをするオブジェクトが選択された順序、パスワード入力にとって意味のあるアニメーションをするオブジェクト、からなるグループから選択されることを特徴とする請求項５に記載の方法。
【請求項７】
パスワードの入力に使用する動的画像のパラメータをコンピュータに入力する為の利用者の入力装置、利用者によって選択されたパラメータによる動的画像を利用者に表示する表示装置、少なくても一つのあらかじめ決められた動的画像のオブジェクトが利用者によってあらかじめ決められた空間に対する位置および／または状態になった時を指示するための機構、パスワードの入力に使用する動的画像の入力されたパラメータを保存する機構、前記保存されたパラメータと動的画像のオブジェクトで指示されたパラメータを比較し、パラメータが一致することでパスワードの認証を行う機構、からなるコンピュータデータベースにアクセスする為のパスワード入力の為の装置。
【請求項８】
前記時を指示する機構は、少なくても一つの接触装置を含み、利用者がその装置を作動させる事により、時を指示する事を特徴とする請求項７に記載の装置。
【請求項９】
時を指示する機構は、マウス、キーボード、タブレットを含むグループより選ばれた少なくても一つの入力装置に基づく事を特徴とする請求項７に記載の装置。
【請求項１０】
パスワードの入力装置は、各スクリーンの状態の変化方式を実現する機構、各スクリーンの状態を変化させる速さの為の機構、動的画像のオブジェクトをアニメーションさせる速さの為の機構、パスワード入力にとって意味のある接触装置を用い利用者によって入力される各スクリーンに対応した動的画像のオブジェクトの選択順序の為の機構を含むことが可能な請求項７に記載の装置。
【請求項１１】
リズムという形であらかじめ決められたアクセスコードを設定し、前記リズムを利用者の入力装置を用いてコンピュータに保存の為と次回パスワード入力の際に使用する為にあらかじめ入力し、パスワード入力を前記リズムにて利用者の入力装置で入力し、保存されたリズムと入力されたリズムを比較しそれらリズムが一致する事によりパスワードの認証を行う事を特徴とするコンピュータデータベースにアクセスする為のパスワード入力の方法。
【請求項１２】
利用者の入力装置は、接触装置の組み合わせからなり、この時、リズムの入力のために利用者によって決められた数の接触装置とその動作順序が選ばれる事を特徴とする請求項１１に記載の方法。
【請求項１３】
リズムとして音楽の曲の一部が選ばれ、この時、前記接触装置の組み合わせに楽器の鍵盤としての機能を与える事を特徴とする請求項１２に記載の方法。
【請求項１４】
利用者の入力装置は、少なくても一つの接触装置を含み、この時、前記接触装置の作動時間の長さの順序によりリズムを入力する事を特徴とする請求項１１に記載の方法。
【請求項１５】
前記接触装置の作動時間の長短による組み合わせをリズムとする事を特徴とする請求項１４に記載の方法。
【請求項１６】
コンピュータにリズムを入力する為の利用者の入力装置、利用者の入力装置によって入力されたあらかじめ選ばれたリズムを保存する機構、保存されたリズムと利用者によって追って入力されたリズムを比較する機構、それらリズムが一致する事によりパスワードの認証を行う事を特徴とするコンピュータデータベースにアクセスする為のパスワード入力装置。
【請求項１７】
利用者の入力装置は、マウス、キーボードとそれらの組み合わせを含むグループより選択され、その時、リズムの入力の為に前記マウス、キーボードから接触装置を選択する事を特徴とする請求項１６に記載の装置。
【請求項１８】
それぞれのリズムの要素が一つの接触装置の動作に対応する事を特徴とする請求項１７に記載の装置。
【請求項１９】
前記接触装置の組み合わせは、接触装置のグループを含み、このグループは、前記リズムの各要素が前記接触装置のグループより任意の接触装置の動作に対応するような機能を有する事を特徴とする請求項１７に記載の装置。
【請求項２０】
コンピュータに動的画像のパスワードを入力する入力装置、動的画像を表示する表示装置、動的画像のオブジェクトが利用者によってあらかじめ決められた空間に対する位置および／または状態になった時を指示する為の装置、パスワードを入力する為の動的画像に入力されたパラメータを保存する装置、保存されたパラメータと指示された動的画像のオブジェクトのパラメータを比較する装置、それらパラメータが一致した時にパスワードの認証を行う事を特徴とするコンピュータにパスワードを入力する装置。
【請求項２１】
パスワード入力に使用する動的画像のパラメータを利用者のコンピュータにパラメータを保存する為の入力装置によって定め、利用者によって選ばれたパラメータによる前記の動的画像を利用者にディスプレイ装置によって表示し、少なくても一つの前記の動的画像のオブジェクトが利用者によってあらかじめ決められた空間に対する位置および／または状態になった時を指示する機構によって指示し、パスワードの入力に使用する動的画像の保存されたパラメータと前記指示された動的画像のオブジェクトのパラメータを比較し、パラメータが一致することによりパスワードの認証を行うことを特徴とするコンピュータにパスワードを入力する方法。
【請求項２２】
あらかじめ決められたリズムを入力装置によってコンピュータに入力し、入力装置によって入力されたあらかじめ決められたリズムを保存装置に保存し、保存されたリズムと次回利用者によって入力されたリズムを比較し、それらリズムが一致することによりパスワードの認証を行うことを特徴とするコンピュータにパスワードを入力する装置。
【請求項２３】
リズムという形であらかじめ決められたアクセスコードを設定し、リズムを入力装置によってコンピュータに保存の為と次回パスワード入力の際に使用する為にあらかじめ入力し、パスワードの入力の際にリズムを利用者の入力装置によって入力し、保存されたリズムと入力されたリズムを比較し、それらリズムが一致する事によりパスワードの認証を行う事を特徴とするコンピュータにパスワードを入力する方法。
【発明の詳細な説明】
【技術分野】
【０００１】
本発明は、コンピュータデータベースにアクセスする為のパスワードの具体的な入力方法とその方法を実現する装置に関するものである。
【背景技術】
【０００２】
利用者が、マウスを用いてディスプレー装置に表示されたグラフィカルなイメージの決められた区域を順番に触れてゆきパスワードを入力するような、グラフィカルなパスワードの入力方法（ＵＳ特許  Ｎｏ．５５５９９６１、ＩＰＣ  Ｇ０６Ｆ  １１／００、１９９６年９月２４日）が既知である。
【０００３】
このようなパスワードの入力方法による保護レベルは高くない。第一に、他人がパスワードの入力手順を覗き見ることができ、またそれを繰り返すことが容易である事と、第２に、このようなパスワードの組み合わせの数は多くなく、またそのような組み合わせを簡単に作り出すことができるからだ。利用者の高い保護レベルの欠如以外にも、本質的な欠点がある。それは、利用者によって選ばれるパスワードの全てが覚えやすいわけではないということである。
【０００４】
異なるデータベースにアクセスするには、異なるパスワードを覚えていなければならなく、巨大なシステムになると不可能になってくるはずである。
【０００５】
そしてまた、数字として表示される変化する画像をパスワード入力の方法とするのが既知である。例えば、利用者が、表示された数に対する減算などの算術演算を行う事によりパスワードの入力を行う。（特開平０６−２１４９５４、ＩＰＣ  Ｇ０６Ｆ  １５／００、３／０２、１９９４年８月５日）
【０００６】
この方法は、十分に高い保護のレベルを提供するが、利用者に算術演算をさせるような負担を掛けている。
【発明の開示】
【発明が解決しようとする課題】
【０００７】
本発明の目的は、上記のような欠点を解消し、コンピュータデータベースにアクセスする為のパスワードの入力方法と装置を提供することである。本発明によれば、利用者のパスワードの盗み見や模倣に対して効果的な保護を提供し、パスワードの組み合わせの数を増やすと共に憶え易さと入力の簡易さを提供する事である。
【課題を解決するための手段】
【０００８】
上記のようなコンピュータデータベースにアクセスする為のパスワード入力の方法を実施する為に、パスワード入力に使用する動的画像のパラメータを利用者の入力装置でコンピュータに入力し、前記パラメータを決定し、それらパラメータを保存し、利用者によって決められたパラメータによる動的画像を利用者に表示装置で表示し、あらかじめ決められた少なくても一つの動的画像のオブジェクトが、利用者によって決められた空間に対する位置および／あるいは状態になった時を、時間を指示する機構によって指示をし、パスワード入力に使用する動的画像の保存されたパラメータと前記指示された動的画像のオブジェクトのパラメータを比較し、これらパラメータが一致する事によりパスワードの認証を行う。
【０００９】
動的画像は、いくつかのスクリーンを有することが望ましく、各スクリーンは時間によって状態を変化させ、この時、少なくても一つのあらかじめ決められたスクリーンにあらかじめ決められた前記オブジェクトが現れた時を利用者の時を指示する装置によって指示をする、状態の変化は周期的であることが望ましい。
【００１０】
動的画像のパラメータは、スクリーンの数、各スクリーンに表示されるオブジェクトの数、各スクリーンの状態変化の方式、各スクリーンの変化速度、動的画像のオブジェクトを選択したスクリーンとその順序、パスワード入力にとって意味のあるスクリーン、これらパラメータの組み合わせ、からなるグループから選択される事が望ましい。
【００１１】
動的画像は、アニメーションをする物体を含むアニメーションをする画像で、時間によって自らの空間に対する位置および／または状態を変え、決められたオブジェクトが少なくても一つの位置および／または状態になった時を利用者の時を指示する装置によって指示をする。動的画像のパラメータは、アニメーションをするオブジェクトの数、オブジェクトのアニメーションの速さ、アニメーションをするオブジェクトが選択された順序、パスワード入力にとって意味のあるアニメーションをするオブジェクト、からなるグループから選択される。
【００１２】
また、上記のようなコンピュータデータベースにアクセスする為のパスワードの入力装置は、パスワードの入力に使用される動的画像のパラメータを入力する利用者の入力装置、利用者によって決定されたパラメータによる動的画像の表示装置、少なくても一つのあらかじめ決められた動的画像のオブジェクトが利用者によってあらかじめ決められた空間に対する位置および／または状態になった時を指示するための機構、パスワード入力の為の動的画像の入力されたパラメータの保存をする機構、前記パラメータと動的画像のオブジェクトで指示されたパラメータを比較し、それらパラメータが一致することでパスワードの認証を行う機構からなる。
【００１３】
時を指示する機構は、少なくても一つの接触装置を含み、利用者がその装置を作動させる事により、時を指示をし、マウス、キーボード、タブレットを含むグループより選ばれた少なくても一つの入力装置に基づく。
【００１４】
これ以外にも、パスワードの入力装置は、各スクリーンの状態の変化方式を実現する機構、各スクリーンの状態を変化させる速さの為の機構、動的画像のオブジェクトをアニメーションさせる速さの為の機構、パスワード入力にとって意味のある接触装置を用い利用者によって入力される各スクリーンに対応した動的画像のオブジェクトの選択順序の為の機構を含むことができる。
【００１５】
本発明による、コンピュータデータベースにアクセスする為のパスワード入力の方法として、リズムという形であらかじめ決められたアクセスコードを設定し、前記リズムを利用者の入力装置を用いてコンピュータに保存の為と次回パスワード入力の際に使用する為にあらかじめ入力し、パスワード入力を前記リズムにて利用者の入力装置で入力し、保存されたリズムと入力されたリズムを比較しそれらリズムが一致する事によりパスワードの認証を行う事を特徴とするコンピュータデータベースにアクセスする為のパスワード入力の方法。
【００１６】
リズムとして音楽の曲の一部が選ばれ、この時、前記接触装置の組み合わせに楽器の鍵盤としての機能を与える。
【００１７】
利用者の入力装置は、少なくても一つの接触装置を含み、この時、前記接触装置の作動時間の長短と順序によりリズムを入力する。
【００１８】
前記接触装置の作動時間の長短による組み合わせをリズムとする。
【００１９】
コンピュータデータベースにアクセスする為のパスワード入力装置は、コンピュータにリズムを入力する為の利用者の入力装置、利用者の入力装置によって入力されたあらかじめ選ばれたリズムを保存する機構、保存されたリズムと利用者によって入力されたリズムを比較する機構、それらリズムが一致する事によりパスワードの認証を行う。
【００２０】
利用者の入力装置は、マウス、キーボードとそれらの組み合わせを含むグループより選択され、その時、リズムの入力の為に前記マウス、キーボードから接触装置を選択し、それぞれのリズムの要素が一つの接触装置の動作に対応する。
【００２１】
前記接触装置の組み合わせは、接触装置のグループを含み、このグループは、前記リズムの各要素が前記接触装置のグループより任意の接触装置の動作に対応するような機能を有する。
【００２２】
以下本発明の実施例を図面を用い詳細に説明する。
【発明を実施するための最良の形態】
【００２３】
一つ目の実施例（図１）によれば、利用者は、スクリーンの数、各スクリーンに表示される画像のタイプ、各スクリーンに表示されるオブジェクトの数、動的画像が選択されるスクリーンとその選択順序をあらかじめ決める。このほかにも、利用者は、あらかじめ決められたオブジェクトがスクリーンに表示された時を指示する接触装置（例えば、マウスの左または右のボタン、またはキーボードの特定のボタン等）として何を用いるかを決める。あらかじめ決められた動的画像のオブジェクトは、ある時、利用者によって考えられた位置および／または状態になる。
【００２４】
利用者は、パスワードの入力にとって意味のあるスクリーンとそうでないスクリーンを決める事ができる、つまり、パスワード入力の保護レベルを上げる。これら設定はソフトウェアによって登録することができる。
【００２５】
図１によると、利用者は、スクリーンの数、それぞれのスクリーンに表示する画像のタイプ、それぞれのスクリーンに表示するオブジェクトの数、動的画像の選択順序とスクリーンをあらかじめ決める。このほかにも利用者は、あらかじめ決められたオブジェクトが表示された時を指示する為の接触装置（例えば、マウスの右あるいは左のボタン、または、キーボードの決められたボタン等）を決める。あらかじめ決められた動的画像のオブジェクトは、時間によって利用者によって考えられた空間に対する位置および／または状態を変化するオブジェクトである。
【００２６】
これ以外にも利用者は、パスワード入力にとって意味があるスクリーンと意味がないスクリーンを決めることができる。つまり、パスワード入力の保護レベルを上げる。これらの設定は、ソフトウェアによって登録することができる。
【００２７】
図１によると、利用者はパスワード作成の為に表示されたあらかじめ決められた画像オブジェクトのスクリーンの数（本例では４つ）に従う。それぞれのスクリーンにあらかじめ利用者によって決められたオブジェクトが現れたとき、選択された接触装置を用いて指示をする。例えば、マウスの左ボタンでクリックまたはキーボードの決められたボタンを押す。この時、それぞれのスクリーンの内容は、利用者の希望によって、任意のパターン数と選択された速さで周期的に変化する。例えば、それぞれのスクリーンに表示される絵のパターンが２０枚。パスワードは利用者によって決めることができる。例えば、トラの絵がスクリーンの右上、オウムの絵がスクリーンの左下、サメの絵がスクリーンの左上、蝶の絵がスクリーンの右下に表示。一つ目の時の指示はスクリーンの右上に向けられて行われ、二つ目―スクリーンの左下、三つ目―スクリーンの左上、四つ目―スクリーンの右下に向けられて行われ、これらの事は、対応したスクリーンが、あらかじめ利用者によって与えられたオブジェクトの選択順序に対応しなければならない。このようなパスワード入力の特徴は、決められた時に現れるオブジェクトの表示手順は、パスワードの完全な入力がされるまで続けられる事である。パスワード入力中のディスプレイには、パスワードを入力していることが何も表示されない、よって他人は、利用者がどのオブジェクト、どのスクリーン、また順序によってパスワード入力が行われるのかを知る事ができない。
【００２８】
パスワード入力に使用する動的画像の入力されたパラメータの保存機能、前記保存されたパラメータと動的画像のオブジェクトの指示されたパラメータの比較機能、上記パラメータが一致した時にパスワード認証を行う機能これらの事は、ソフトウェアによって行う。
【００２９】
いくつかの可能なパスワード入力の実現形態。第１に、それぞれのスクリーンからのパスワードオブジェクトの選択は義務的ではない。つまり、ディスプレイに表示されるスクリーンの数を決める際に、利用者はパスワード入力にとって意味のあるスクリーンの数を任意に決めることができる。例えば、３つ。この時、パスワードは３つの任意の動的画像のオブジェクトからなる。第２に、オブジェクトが表示された時を指示する為の接触装置をオブジェクト毎に選択できる。この時、たとえば、上記に示されたパスワードの入力方法を図１を用いて説明する。利用者のパスワードが、トラの絵がスクリーンの右上、オウムの絵がスクリーンの左下、サメの絵がスクリーンの左上、蝶の絵がスクリーンの右下に表示される事によるとすると、トラの絵が現れたときは、マウスの左ボタンで時間を指示し、オウムが現れたときは右ボタン、サメが現れた時は左ボタン、蝶が現れたときは左ボタン。このようにして、利用者は自分で自分のパスワードの機密性を決める事ができ、またパスワードの憶えにくさを決める事ができる。第３に、パスワードの設定の際、パスワードの入力にとって意味のない接触装置を決めることができる。つまり、上記説明のパスワードにおいてマウスの右ボタンは意味がない。 そして、右ボタンを押してもパスワード入力に反映されない。この事は、他人からパスワードの保護レベルを上げることを意味するーこの事により、他人は、利用者がどのオブジェクトとどのスクリーンを見ているのか解らなくなり、また、表示されたオブジェクトがパスワードの入力にとって意味のあるものなのか解らなくなる。つまり、作動させた接触装置がパスワード入力にとって意味のあるものなのか解らなくなる。
【００３０】
このほかのパスワード入力方法を図２を用いて説明する。選択され結び付けられた動的（アニメーション）画像のオブジェクトを利用者に表示する。図２によれば、表示される画像のオブジェクトは、赤ちゃん、ボール、魚、蝶―これらのオブジェクトは、空間に対する位置を変え、また鳥は自ら座標を変えることなく状態を変える、つまり飛ぶ。
【００３１】
アニメーションをするオブジェクトがあらかじめ決められた空間に対する位置、または状態になった時を利用者によって選択された時を指示する装置によってその時を指示する。（例えば、マウスのクリックまたはキーボードの選ばれたボタン）。利用者のパスワードは、アニメーションをするオブジェクトの状態に対応する、魚の頭が水の下に隠れた時（図３ａ）、赤ちゃんがボールの側に座った時（図３ｂ）、ボールがスクリーンに現れた時（図３ｃ）、蝶が右端の傘の上に居る時（図３ｄ）、鳥が羽を上げた時（図３ｅ）。つまり、一番目の指示する時は、例えば、マウスのクリックは魚に向けられ、二番目―赤ちゃんに、三番目―ボールに、四番目―蝶に、五番目―鳥に向けられ、これらの順序は、あらかじめ利用者によって与えられた選択順序に対応する。
【００３２】
このようなパスワード入力の特徴は、あらかじめ決められたオブジェクトがあらかじめ決められた位置またはあらかじめ決められた状態になった時を指示する手続きは、パスワードの完全な入力がされるまで続けられることにあり。また、ディスプレイには、パスワードの入力について何も表示されないので他人には利用者が、どのオブジェクトが空間のどの位置および／またはどの状態になることを見ているのか解らず、またどのような順序で利用者が指示をしているのか解らない。利用者が、対応するオブジェクトのあらかじめ決められた状態になった時を指示することが間に合わなかった場合、アニメーションをするオブジェクトの表示は、利用者によって与えられたアニメーション速度で周期的に繰り返される。上記の全ての可能なパスワードの生成の特徴：動的画像のアニメーションをするパスワードオブジェクトの全ての選択は絶対ではない、つまり、パスワード入力の為のオブジェクトを決める際に、利用者は任意のオブジェクトをパスワード入力にとって意味のあるものとすることができる。
【００３３】
それぞれのスクリーンの状態の変化方式の選択機能、それぞれのスクリーンの状態変化の速度の決定機能、動的画像のオブジェクトのアニメーション速度の決定機能、利用者によって入力された、どの接触装置の動作がパスワードの入力にとって意味のある物なのかを示す指標を考慮した上で対応するスクリーンの動的画像のオブジェクトが選択された順序を示す機能、これらの機能は対応するソフトウェアによって実現される。
【００３４】
リズムとしてのパスワード入力の際、利用者は、あらかじめ決められたリズムをあらかじめ決められた接触装置を用いて入力しなければならない。この時、リズムとして音楽の曲の一部を使用することもでき、接触装置には音楽の鍵盤としての機能が与えられる。
【００３５】
たとえば、パスワードの入力装置として、利用者はマウスの右と左のボタンを選択する。利用者のパスワードは次のように与えられる：３かいマウスの左ボタンを押し、２かいマウスの右ボタンを押し、３―右、２―左、３―右、１―左、１―右、１―左、１―右、２―左。このような、一目では覚えづらいが、このメロディーは有名なメロディーの“小犬のワルツ”で、二つの鍵盤で演奏する。このようなパスワードは覗き見ることが難しく、繰り返すことも難しい、なぜなら、手は完全にマウスに覆い被さっており、指は常に二つの接触装置におかれていて、マウスのどのボタンが押されたのかと、何度押されたのか解りづらいからだ。鍵となるメロディーのおかげで、パスワードを対応するリズムを選択されたそれぞれの接触装置の動作回数と順序で覚えることができる為、利用者だけが鍵となるメロディーを知っていることになる。このようなパスワードの作成の際、利用者はパスワード入力の接触装置としてマウスのボタン、キーボードのボタン、これらの組み合わせを含むグループから選択することができ、そしてまた認証機能を持つ接触装置の組み合わせからも選択することができる。例えば、上記説明のパスワードの為に利用者は、数字の書かれたキーボード上列をマウスの左ボタンとして選ぶことができ、数字の書かれたキーボード右側の部分（テンキー）−マウスの右ボタンとして選ぶことができる。
【００３６】
パスワード入力において、それぞれのボタンの属するそれぞれのグループは特有の意味を持つ。つまり、グループに属する押されたボタンのそれぞれは重要ではなく、押されたボタンの属するグループ“右”または“左”が重要ということである。他人は、利用者によって入力されるリズムを“聞こえ”ないだけではなく、それぞれのコード要素に対応する接触装置の意味を知る事ができないため、このパスワード入力の方法は、他人からの保護レベルを上げることができる。リズムとしてのコードは任意の数の“音”を含むことができる、つまり、利用者のリズムを覚える能力に依存する。
【００３７】
利用者によって入力されたリズムは、前もって保存されたリズムと比較され、これらが一致することにより、パスワードの認証をおこなう。この機能は、ソフトウェアによって実現することができる。
【００３８】
リズムは、利用者によってあらかじめ決められた接触装置の動作の長短の組み合わせで入力することができる。
【００３９】
リズムで入力されるパスワードの手順は、画面に何の画像の表示もされることがなく、コンピュータデータベースへのアクセスは、パスワードの完全な入力がされるまで行われない。
【００４０】
動的画像を利用したパスワードの入力方法の利点は：大きな組み合わせ数―それぞれのアニメーションをするオブジェクトは、覚えやすい場所の十分な数をとり、そしてまた、他人（クラッカー）からの高い保護レベルを持ち、この高い保護レベルは、上記に説明される装置または組み合わせで実現することができる。このようにして、パスワードの入力方法は、コンピュータデータベースにアクセスする為のパスワードの記憶と保護問題を解決する手伝いをする。
【００４１】
リズムを利用したパスワードの入力方法の利点は：有名なメロディーとリズムから作られる多大な組み合わせ数、パスワードの覚えやすさ。リズムの入力方法は、更に高い保護レベルを提供する。
【産業上の利用可能性】
【００４２】
本発明は、コンピュータデータベースにアクセスする為のパスワード入力機構としてや、携帯電話のセキュリティー通信を提供する為や金融取引の端末、ビデオモニターが設置された警備システムなどに利用することができる。
【図面の簡単な説明】
【００４３】
【図１】利用者のコンピュータのディスプレイに動的に表示される画像の組み合わせを用いた一つ目のパスワード入力の実施例を示す図である。
【図２】利用者のコンピュータのディスプレイに動的に表示される画像を用いた二つ目のパスワード入力の実施例を示す図である。
【図３】二つ目のパスワード入力の実施例に沿った、段階的な図である。
【国際公開パンフレット】
2004537116.tif 000002
2004537116.tif 000003
2004537116.tif 000004
2004537116.tif 000005
2004537116.tif 000006
2004537116.tif 000007
2004537116.tif 000008
2004537116.tif 000009
2004537116.tif 000010
2004537116.tif 000011
2004537116.tif 000012
2004537116.tif 000013
2004537116.tif 000014
2004537116.tif 000015
2004537116.tif 000016
2004537116.tif 000017
2004537116.tif 000018
2004537116.tif 000019
2004537116.tif 000020
2004537116.tif 000021
2004537116.tif 000022
【国際調査報告】
2004537116.tif 000023
2004537116.tif 000024
2004537116.tif 000025
2004537116.tif 000026